(57)【要約】【課題】液滴の消費頻度に応じて液滴内の溶存気体除去を行う脱気装置及び液吐出装置並びにインクジェット記録装置を提供する。【解決手段】チャンバ１００、１０２は可動壁１１０によって区分けされ、該可動壁１１０には貫通流路１４０、１４２及びＵ字状流路１６０が設けられている。可動壁１１０を移動させて、これらのうち何れか一方の流路を選択することができる。貫通流路１４０等を選択するとチャンバ１００は貫通流路１４０等を介してチャンバ１０２と連結され、脱気処理可能な流路長を拡張させることができ、一方、Ｕ字状流路１６０を選択するとチャンバ１００内で脱気処理可能な流路が循環されるので、該流路長を縮小させることができる。インクの吐出デューティがハイデューティのときには貫通流路１４０が選択され、ローデューティのときにはＵ字状流路１６０を選択すると好ましい脱気処理が行われる。【選択図】  図５
2005205850.tif 000002
【特許請求の範囲】
【請求項１】
液体を通す流路と、
前記流路の少なくとも一部が含まれる脱気処理部を減圧して前記流路内の液体に含まれる溶存気体を除去する減圧脱気手段と、
前記脱気処理部内の流路長を可変させる可変手段と、
を備えたことを特徴とする脱気装置。
【請求項２】
前記可変手段は前記脱気処理部の有効領域を可変させることにより前記脱気処理部内の流路長を可変させることを特徴とする請求項１記載の脱気装置。
【請求項３】
脱気する液体の使用頻度が相対的に高いときには前記脱気処理部内の流路長が相対的に長くなるように前期脱気処理部の有効領域を拡張させる一方、脱気する液体の使用頻度が相対的に低いときには前記脱気処理部内の流路長が相対的に短くなるように前記脱気処理部の有効領域を縮小させる制御を行う制御手段を備えたことを特徴とする請求項１又は２記載の脱気装置。
【請求項４】
前記脱気処理部を複数のチャンバに分割する仕切り部材を備え、
前記仕切り部材は、前記脱気処理部内に形成される流路が変わるように前記流路を切り換えて前記脱気処理部内の流路長を可変させる流路切換手段を有することを特徴とする請求項１、２又は３記載の脱気装置。
【請求項５】
前記脱気処理部に設けられた各チャンバを着脱させる着脱手段を備え、該着脱手段を用いて前記チャンバを増減させて前記脱気処理部内の流路長を可変させることを特徴とする請求項１、２又は３記載の脱気装置。
【請求項６】
前記脱気処理部に含まれる流路は、該脱気処理部の入り口から入った行き流路が折り返されて該入り口側へ戻る戻り流路を含む構造を有し、
前記仕切り部材は、該仕切り部材で区分けされているチャンバ間の行き流路及び戻り流路をそれぞれ連通させる連通配管と、同一チャンバ内の行き流路及び戻り流路を連通させる折り返し配管と、を備え、
前記制御手段は、前記仕切り部材を可動させることにより前記連通配管及び前記折り返し配管を切り換えて前記脱気処理部内の流路長を可変させる制御を行うことを特徴とする請求項４記載の脱気装置。
【請求項７】
前記仕切り部材は該仕切り部材で区分けされたチャンバ間を連通させる連通穴を備え、前記仕切り部材の可動によって前記連通配管が設定されると、前記連通穴を介して連通される複数のチャンバ内を減圧させる共通の減圧脱気手段を備えたことを特徴とする請求項４、５又は６記載の脱気装置。
【請求項８】
前記脱気処理部に含まれる流路に擦動して移動する稼動壁により前記脱気処理部内の流路長を可変させることを特徴とする請求項１乃至７のうち何れか１項に記載の脱気装置。
【請求項９】
前記脱気処理部に含まれる流路には、前記脱気処理部内に略平行に配置された前記行き流路及び前記戻り側流路が含まれることを特徴とする請求項８記載の脱気装置。
【請求項１０】
被吐出媒体上に液滴を吐出させる吐出ヘッドを備えた液吐出装置であって、
前記吐出ヘッドから吐出される液を貯蔵する貯蔵部と、
前記貯蔵部から前記吐出ヘッドへ液を供給する流路と、
前記流路内の液に含まれる溶存気体を除去する脱気装置と、
を備え、
前記脱気装置は請求項１乃至９のうち何れか１項に記載された脱気装置を含むことを特徴とする液吐出装置。
【請求項１１】
被記録媒体上にインク滴を吐出させる記録ヘッドを備えたインクジェット記録装置であって、
前記記録ヘッドから吐出されるインクを貯蔵するインク貯蔵部と、
前記インク貯蔵部から前記記録ヘッドへインクを供給するインク流路と、
前記インク流路内のインクに含まれる溶存気体を除去する脱気装置と、
を備え、
前記脱気装置は請求項１乃至９のうち何れか１項に記載された脱気装置を含むことを特徴とするインクジェット記録装置。
【発明の詳細な説明】
【技術分野】
【０００１】
本発明は脱気装置及び液吐出装置並びにインクジェット記録装置に係り、特にインクジェットプリンターに使用されるインクなど気体が溶存している液体から気体を取り除く液体の気泡除去技術に関する。
【背景技術】
【０００２】
近年、画像やドキュメント等のデータ出力装置としてインクジェットプリンターが普及している。インクジェットプリンターは記録ヘッドの記録素子（ノズル）をデータに応じて駆動し、該ノズルからインクを吐出させて記録紙にデータが形成される。インクを吐出させる吐出手段としてノズルに連通される圧力室に圧力波を与えるPZT アクチュエータ等を用いるものや、インク室（圧力室）内のインクを加熱してバブルを発生させる熱源を用いるものなどがある。これらの吐出手段を動作させることによって加圧されたインクがノズルから吐出され、被記録媒体上へ画像などのデータが形成される。
【０００３】
インクジェットプリンターでは、記録ヘッド内のインクに気泡が混入すると、吐出異常の原因となる。例えば、記録素子の駆動にPZT アクチュエータ（ピエゾ圧電素子）を用いる方式では、吐出エネルギーを発生させる圧力室内に気泡が混入すると、該圧力室内のインクに対してPZT アクチュエータから与えられる圧力が低下し、所定量のインクを吐出することができないことがある。
【０００４】
また、インク室（圧力室）内のインクを加熱してバブルを発生させる熱源を用いる方式においても、これがインクの吐出量、吐出方向、吐出速度などに影響を及ぼし、結果として吐出性能にばらつきを生じさせることがある。
【０００５】
上述した吐出異常や吐出性能のばらつきは、記録する画像の品質劣化をもたらすものである。したがって、記録ヘッドに供給されるインクには溶存気体ができるだけ少ないものが好ましく、インクから溶存気体を除去するために脱気機構（装置）が用いられる。
【０００６】
脱気機構の一例を挙げると、インクが気体透過性の中空糸束内に通過する際に、該中空糸束の外側の空間を減圧してインクから溶存気体を取り除くように構成されている。
【０００７】
特許文献１に記載された樹脂供給装置では、プラスチック射出形成装置においてペレットの投入口から吐出口までの間にシャッタで区切られた第１チャンバ、第２チャンバを直列に配置し、該シャッタを制御して第１チャンバ及び第２チャンバの連通又は気密を自在にするように構成されている。
【０００８】
また、特許文献２に記載されたインク容器へのインク充填装置およびインク容器へのインク充填方法では、脱気したインクを貯留するインクタンクと、脱気ユニットを備えた２つの循環路とを備え、該循環路内には脱気ユニットがあり、インクに含まれる気体が所定値以下になると、流路を変更するように構成されている。
【特許文献１】特開平８−２０７０４８号公報
【特許文献２】特開２００２−３０７７０６号公報
【発明の開示】
【発明が解決しようとする課題】
【０００９】
しかしながら、画像を印字する場合とドキュメントを印字する場合とでは、インクの消費頻度（単位時間当たりのインク消費量）が異なり、ドキュメント印字などの閑散プリント時などのローデューティでは脱気装置内にインクが滞在する時間が十分長いので十分な脱気が可能である。一方、画像印字などの連続プリント時などのハイデューティでは単位時間当たりのインク消費量が多いために脱気装置内にインクが滞在する時間が短くなり、脱気が不十分になり得る。そこで、脱気処理は連続プリント時に合わせて最適化され（例えば、脱気装置内の流路長が連続プリント時に適した長さになっている等）、閑散プリント時には最適化されていない。
【００１０】
上述した理由によって、ローデューティ時には必要以上のインクまで脱気してしまうことになり脱気し過ぎが懸念される。必要以上に脱気をするとインク内の溶媒が少なくなり、インクの増粘が起こり得る。
【００１１】
特許文献１に開示された樹脂供給装置では、シャッタは単に第１チャンバと第２チャンバとの開閉機構として機能するだけで、該シャッタの開閉によって脱気領域を可変させるようには機能しない。
【００１２】
また、特許文献２に記載されたインク容器へのインク充填装置およびインク容器へのインク充填方法では、循環路のインクが多いために脱気に時間がかかり、また、必要以上の脱気によるインク組成分の劣化が発生し、脱気し過ぎが懸念される。
【００１３】
本発明はこのような事情に鑑みてなされたもので、液滴の消費頻度に応じて液滴内の溶存気体除去を行う脱気装置及び液吐出装置並びにインクジェット記録装置を提供することを目的とする。
【課題を解決するための手段】
【００１４】
前記目的を達成するために請求項１に係る発明は、液体を通す流路と、前記流路の少なくとも一部が含まれる脱気処理部を減圧して前記流路内の液体に含まれる溶存気体を除去する減圧脱気手段と、前記脱気処理部内の流路長を可変させる可変手段と、を備えたことを特徴としている。
【００１５】
即ち、可変手段によって脱気処理部内の流路長を可変可能に構成したので、必要に応じて脱気処理部内の流路長を可変させて脱気能力を調整することができる。また、脱気処理部内を減圧することによって該脱気処理部内の流路を流れる液体に含まれる溶存気体が除去される。したがって、該流路には脱気処理部の上流側では脱気されていない液体が含まれ、該脱気処理部下流側では脱気された液体が含まれる。
【００１６】
液体には水、薬品を含んだ薬液、処理液、インクなどが含まれていてもよい。
【００１７】
また、流路に用いられる部材は液類を含んだ状態で外周部を減圧させると、液類に含まれている気体を流路外部へ導き出すことができる部材が適用される。
【００１８】
減圧脱気手段には、真空ポンプなどの減圧手段によって脱気処理部内の圧力を減圧させて、気体透過性の中空糸束などを含んだ流路から溶存気体を取り除く態様がある。
【００１９】
請求項２に示すように請求項１記載の発明において、前記可変手段は前記脱気処理部の有効領域を可変させることにより前記脱気処理部内の流路長を可変させることを特徴としている。
【００２０】
即ち、脱気処理部の有効領域を可変させることで脱気処理部内の流路長を可変させるように構成したので、簡易な構成で脱気処理される流路の長さを可変させることができる。
【００２１】
また、請求項３に示すように請求項１又は２記載の発明において、脱気する液体の使用頻度が相対的に高いときには前記脱気処理部内の流路長が相対的に長くなるように前期脱気処理部の有効領域を拡張させる一方、脱気する液体の使用頻度が相対的に低いときには前記脱気処理部内の流路長が相対的に短くなるように前記脱気処理部の有効領域を縮小させる制御を行う制御手段を備えたことを特徴としている。
【００２２】
即ち、脱気する液体の使用頻度が高い時には脱気処理部内の流路長を長くし、脱気する液体の使用頻度が低い時には脱気処理部内の流路長を短くすることで、脱気する液体の使用頻度に合わせて好ましい脱気処理が可能になる。言い換えると、脱気する液の使用頻度に応じて脱気装置を最適化することができる。
【００２３】
例えば、液滴を吐出させる吐出ヘッドに供給させる液滴を脱気する場合には、該吐出ヘッドの動作頻度に応じて脱気処理部の流路長を変えればよい。最高吐出頻度（動作デューティ略 100％）では流路長を最大に設定して単位時間当たりの脱気量を最大にし、最高吐出頻度の略1/2 （動作デューティ略50％）では該流路長を最高吐出頻度時略1/2 になるように制御する態様がある。
【００２４】
また、請求項４に示すように請求項１、２又は３記載の発明において、前記脱気処理部を複数のチャンバに分割する仕切り部材を備え、前記仕切り部材は、前記脱気処理部内に形成される流路が変わるように前記流路を切り換えて前記脱気処理部内の流路長を可変させる流路切換手段を有することを特徴としている。
【００２５】
即ち、各チャンバ内の流路長を単位長さとして脱気処理部の流路長を可変させることができる。
【００２６】
各チャンバの大きさは略同一でもよいし、異なる大きさとしてもよい。
【００２７】
また、請求項５に示すように請求項１、２又は３記載の発明において、前記脱気処理部に設けられた各チャンバを着脱させる着脱手段を備え、該着脱手段を用いて前記チャンバを増減させて前記脱気処理部内の流路長を可変させることを特徴としている。
【００２８】
即ち、各チャンバを着脱可能に構成すると、着脱手段を用いてチャンバを増減させることができるので、必要な流路長に応じてチャンバの数を設定すればよい。
【００２９】
また、請求項６に示すように請求項４記載の発明において、前記脱気処理部に含まれる流路は、該脱気処理部の入り口から入った行き流路が折り返されて該入り口側へ戻る戻り流路を含む構造を有し、前記仕切り部材は、該仕切り部材で区分けされているチャンバ間の行き流路及び戻り流路をそれぞれ連通させる連通配管と、同一チャンバ内の行き流路及び戻り流路を連通させる折り返し配管と、を備え、前記制御手段は、前記仕切り部材を可動させることにより前記連通配管及び前記折り返し配管を切り換えて前記脱気処理部内の流路長を可変させる制御を行うことを特徴としている。
【００３０】
即ち、連通配管を選択すると隣り合うチャンバが連通配管を介して連結され、脱気処理部内の流路長を長くすることができる。一方、折り返し配管を選択すると同一チャンバ内で流路が循環されるので脱気処理部内の流路長を短くすることができる。したがって、脱気された液体の使用頻度が高い時には連通配管を選択し、脱気された液体の使用頻度が低い時には折り返し配管を選択すればよい。
【００３１】
言い換えると、少なくとも２つのチャンバを有し、これらの境界である仕切り部材が移動することによって連通／非連通状態を変えることができる。
【００３２】
また、請求項７に示すように請求項４、５又は６記載の発明において、前記仕切り部材は該仕切り部材で区分けされたチャンバ間を連通させる連通穴を備え、前記仕切り部材の可動によって前記連通配管が設定されると、前記連通穴を介して連通される複数のチャンバ内を減圧させる共通の減圧脱気手段を備えたことを特徴としている。
【００３３】
即ち、仕切り部材の可動によって連通配管が選択され、複数のチャンバが連結されるときには、連通穴を介して連通された複数のチャンバを共通の減圧脱気手段を用いて減圧させることができるので、チャンバごとに減圧脱気手段を備えなくてもよい。
【００３４】
また、請求項８に示すように請求項１乃至７のうち何れか１項に記載の発明において、前記脱気処理部に含まれる流路に擦動して移動する稼動壁により前記脱気処理部内の流路長を可変させることを特徴としている。
【００３５】
即ち、可動壁を移動させることによって脱気処理部の領域を可変させて該脱気領域内の流路長を可変させるように構成したので、簡単な構造で脱気領域内の流路を可変させることができ、該脱気手段の脱気能力を可変させることが可能である。
【００３６】
また、請求項９に示すように請求項８記載の発明において、記脱気処理部に含まれる流路には、前記脱気処理部内に略平行に配置された前記行き流路及び前記戻り側流路が含まれることを特徴としている。
【００３７】
また、前記目的を達成するめに請求項１０に係る発明は、被吐出媒体上に液滴を吐出させる吐出ヘッドを備えた液吐出装置であって、前記吐出ヘッドから吐出される液を貯蔵する貯蔵部と、前記貯蔵部から前記吐出ヘッドへ液を供給する流路と、前記流路内の液に含まれる溶存気体を除去する脱気装置と、を備え、前記脱気装置は請求項１乃至９のうち何れか１項に記載された脱気装置を含むことを特徴としている。
【００３８】
即ち、脱気された液の吐出頻度に応じて脱気装置内の脱気処理部を可変させるように構成したので、該吐出頻度に応じた好ましい状態に脱気された液を吐出ヘッドへ供給可能である。
【００３９】
液吐出装置には、水、薬液、処理液等の液類を、紙、フイルム、ウエハなどの被吐出媒体上に吐出口から吐出させるディスペンサ、塗布装置などを含んでもよい。
【００４０】
また、前記目的を達成するめに請求項１１に係る発明は、被記録媒体上にインク滴を吐出させる記録ヘッドを備えたインクジェット記録装置であって、前記記録ヘッドから吐出されるインクを貯蔵するインク貯蔵部と、前記インク貯蔵部から前記記録ヘッドへインクを供給するインク流路と、前記インク流路内のインクに含まれる溶存気体を除去する脱気装置と、を備え、前記脱気装置は請求項１乃至９のうち何れか１項に記載された脱気装置を含むことを特徴としている。
【００４１】
即ち、インクの吐出頻度（吐出デューティ）に応じて、脱気装置の脱気領域を可変させるように構成したので、ハイデューティ時にもローデューティ時にも好ましい状態に脱気されたインクを記録ヘッドへ供給することができる。また、過脱気（脱気し過ぎ）によるインク増粘やインク色素の分解などの不具合を防止することができる。
【発明の効果】
【００４２】
本発明によれば、液体の溶存気体を除去する脱気装置において、減圧脱気手段に含まれる脱気処理部内の管路長を可変させるように構成したので、脱気された液体の使用頻度に応じて該管路長を可変させることによって、単位時間当たりの脱気量を最適化させることができる。本脱気装置は液吐出装置やインクジェット記録装置に用いてもよい。
【発明を実施するための最良の形態】
【００４３】
以下、添付図面に従って本発明の好ましい実施の形態について詳説する。
【００４４】
〔インクジェット記録装置の全体構成〕
図１は本発明の実施形態に係るインクジェット記録装置の全体構成図である。同図に示したように、このインクジェット記録装置１０は、インクの色ごとに設けられた複数の印字ヘッド１２Ｋ，１２Ｃ，１２Ｍ，１２Ｙを有する印字部１２と、各印字ヘッド１２Ｋ，１２Ｃ，１２Ｍ，１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印画済みの記録紙（プリント物）を外部に排紙する排紙部２６と、を備えている。
【００４５】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００４６】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００４７】
給紙部１８から送り出される記録紙１６はマガジンに装填されていたことによる巻きクセが残り、カールする。このカールを除去するために、デカール処理部２０においてマガジンの巻きクセ方向と逆方向に加熱ドラム３０で記録紙１６に熱を与える。このとき、多少印字面が外側に弱いカールとなるように加熱温度を制御するとより好ましい。
【００４８】
ロール紙を使用する装置構成の場合、図１のように、裁断用のカッター（第１のカッター）２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置される。なお、カット紙を使用する場合には、カッター２８は不要である。
【００４９】
デカール処理後、カットされた記録紙１６は、吸着ベルト搬送部２２へと送られる。吸着ベルト搬送部２２は、ローラ３１、３２間に無端状のベルト３３が巻き掛けられた構造を有し、少なくとも印字部１２のノズル面及び印字検出部２４のセンサ面に対向する部分が水平面（フラット面）をなすように構成されている。
【００５０】
ベルト３３は、記録紙１６の幅よりも広い幅寸法を有しており、ベルト面には多数の吸引穴（不図示）が形成されている。図１に示したとおり、ローラ３１、３２間に掛け渡されたベルト３３の内側において印字部１２のノズル面及び印字検出部２４のセンサ面に対向する位置には吸着チャンバ３４が設けられており、この吸着チャンバ３４をファン３５で吸引して負圧にすることによってベルト３３上の記録紙１６が吸着保持される。
【００５１】
ベルト３３が巻かれているローラ３１、３２の少なくとも一方にモータ（図１中不図示，図３中符号８８として記載）の動力が伝達されることにより、ベルト３３は図１上の時計回り方向に駆動され、ベルト３３上に保持された記録紙１６は図１の左から右へと搬送される。なお、ベルト３３の詳細は後述する。
【００５２】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、或いはこれらの組み合わせなどがある。清掃用ロールをニップする方式の場合、ベルト線速度とローラ線速度を変えると清掃効果が大きい。
【００５３】
なお、吸着ベルト搬送部２２に代えて、ローラ・ニップ搬送機構を用いる態様も考えられるが、印字領域をローラ・ニップ搬送すると、印字直後に用紙の印字面をローラが接触するので画像が滲み易いという問題がある。したがって、本例のように、印字領域では画像面を接触させない吸着ベルト搬送が好ましい。
【００５４】
吸着ベルト搬送部２２により形成される用紙搬送路上において印字部１２の上流側には、加熱ファン４０が設けられている。加熱ファン４０は、印字前の記録紙１６に加熱空気を吹き付け、記録紙１６を加熱する。印字直前に記録紙１６を加熱しておくことにより、インクが着弾後乾き易くなる。
【００５５】
印字部１２は、最大紙幅に対応する長さを有するライン型ヘッドを紙送り方向 (記録紙搬送方向）と直交方向に配置した、いわゆるフルライン型のヘッドとなっている。各印字ヘッド１２Ｋ，１２Ｃ，１２Ｍ，１２Ｙは、本インクジェット記録装置１０が対象とする最大サイズの記録紙１６の少なくとも一辺を超える長さにわたってインク吐出口（ノズル）が複数配列されたフルライン型ラインヘッドで構成されている。
【００５６】
記録紙１６の送り方向（以下、記録紙搬送方向という。）に沿って上流側から黒（Ｋ）、シアン（Ｃ）、マゼンタ（Ｍ）、イエロー（Ｙ）の順に各色インクに対応した印字ヘッド１２Ｋ，１２Ｃ，１２Ｍ，１２Ｙが配置されている。記録紙１６を搬送しつつ各印字ヘッド１２Ｋ，１２Ｃ，１２Ｍ，１２Ｙからそれぞれ色インクを吐出することにより記録紙１６上にカラー画像を形成し得る。
【００５７】
このように、紙幅の全域をカバーするフルラインヘッドがインク色ごとに設けられてなる印字部１２によれば、記録紙搬送方向について記録紙１６と印字部１２を相対的に移動させる動作を一回行うだけで（すなわち１回の記録紙搬送方向への走査で）、記録紙１６の全面に画像を記録することができる。これにより、印字ヘッドが記録紙搬送方向と略直交する方向に往復動作するシリアル（シャトルスキャン）型ヘッドに比べて高速印字が可能であり、生産性を向上させることができる。
【００５８】
なお、本例では、ＫＣＭＹの標準色（４色）の構成を例示したが、インク色や色数の組み合わせについては本実施形態に限定されず、必要に応じて淡インク、濃インクを追加してもよい。例えば、ライトシアン、ライトマゼンタなどのライト系インクを吐出する印字ヘッドを追加する６色構成や６色構成にダークイエローインクを追加した７色構成も可能である。
【００５９】
図１に示したように、インク貯蔵／装填部１４は、各印字ヘッド１２Ｋ，１２Ｃ，１２Ｍ，１２Ｙに対応する色のインクを貯蔵するインクタンク（図２の符号６０）を有し、各色のインクタンクは管路を介して各印字ヘッド１２Ｋ，１２Ｃ，１２Ｍ，１２Ｙと連通されている。
【００６０】
また、インクタンクから印字ヘッド１２Ｋ，１２Ｃ，１２Ｍ，１２Ｙへのインク供給路には、印字ヘッド１２Ｋ，１２Ｃ，１２Ｍ，１２Ｙへ供給されるインクに含まれる気泡や溶存気体を除去するために脱気装置（図２の符号６２）及び該インクの溶存気体量を計測する溶存酸素計（図２の符号６３）が備えられている。本インクジェット記録装置１０では、該脱気装置を稼動させ、インクの気泡や溶存気体が取り除かれるので、印字ヘッド１２Ｋ，１２Ｃ，１２Ｍ，１２Ｙには溶存気体量が所定の範囲内である脱気されたインクが供給される。
【００６１】
更に、インク貯蔵／装填部１４は、インク残量が少なくなるとその旨を報知する報知手段（表示手段、警告音発生手段等）を備えるとともに、色間の誤装填を防止するための機構を有している。
【００６２】
印字検出部２４は、印字部１２の打滴結果を撮像するためのイメージセンサを含み、該イメージセンサによって読み取った打滴画像からノズルの目詰まりその他の吐出不良をチェックする手段として機能する。なお、インク貯蔵／装填部１４の詳細は後述する。
【００６３】
本例の印字検出部２４は、少なくとも各印字ヘッド１２Ｋ，１２Ｃ，１２Ｍ，１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列と、からなる色分解ラインＣＣＤセンサで構成されている。なお、ラインセンサに代えて、受光素子が二次元配列されて成るエリアセンサを用いることも可能である。
【００６４】
印字検出部２４は、各色の印字ヘッド１２Ｋ，１２Ｃ，１２Ｍ，１２Ｙにより印字されたテストパターン（或いは実画像）を読み取り、各ヘッドの吐出検出を行う。吐出判定は、吐出の有無、ドットサイズの測定、ドット着弾位置の測定などで構成される。また、印字検出部２４には、打滴されたドットに光を照射させる光源（不図示）を備えている。
【００６５】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【００６６】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００６７】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラ４５で加圧し、画像面に凹凸形状を転写する。
【００６８】
こうして生成されたプリント物は排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える不図示の選別手段が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に本画像とテスト印字部を切断するためのものである。カッター４８の構造は前述した第１のカッター２８と同様であり、固定刃４８Ａと丸刃４８Ｂとから構成される。
【００６９】
また、図１には示さないが、本画像の排出部２６Ａには、オーダ別に画像を集積するソーターが設けられる。なお、符号２６Ｂはテスト印字排出部である。
【００７０】
印字部１２に備えられた各印字ヘッド１２Ｋ，１２Ｃ，１２Ｍ，１２Ｙはインクを吐出する複数のノズルが印字媒体送り方向と略直交する方向に印字媒体の全幅に対応する長さにわたって配列された１列以上のノズル列を有するフルラインヘッドである。
【００７１】
即ち、各印字ヘッド１２Ｋ，１２Ｃ，１２Ｍ，１２Ｙは、その印字面にインクを吐出させるノズルが二次元的にマトリクス状に配置させた構造を有し、該ノズルをマトリクス状に配置することで見かけ上のノズルピッチの高密度化を実現している。もちろん、印字ヘッドの幅方向に１列のノズル列を有する印字ヘッドでもよい。
【００７２】
なお、ラインヘッドには複数のヘッドからなる分割型ヘッドを適用してもよく、短尺の２次元に配列された印字ヘッドを千鳥状に配列して繋ぎ合わせて、印字媒体の全幅に対応する長さとしてもよい。
【００７３】
本インクジェット記録装置１０は、ノズルに連通された圧力室の体積を変化させることによって圧力室内のインクに吐出力を与え、この吐出力によって圧力室内のインクを吐出させる方式が適用される。
【００７４】
このインクの吐出力源にはピエゾ圧電素子などのアクチュエータが用いられる。該圧力室の１つの壁面（天面）を形成する振動板にアクチュエータを取り付け、該アクチュエータを駆動に応じて振動板が変形することによって圧力室の体積が変化し、この圧力室の体積変化に対応した量のインクが吐出される。
【００７５】
インクの吐出が行われると、圧力室に連通された共通流路を含んだ供給系から該圧力室へ新しいインクが供給される。
【００７６】
インクに吐出力を与えるアクチュエータはピエゾ圧電素子以外のアクチュエータを適用してもよい。
【００７７】
なお、インクの吐出方式は上述した方式に限定されない。インク室（圧力室に相当）内に熱源を備え、該熱源を駆動してインク室内に気泡を発生させ、その気泡発生エネルギーを用いてインク室内のインクを吐出させるサーマル方式を適用してもよい。
【００７８】
次に、図２を用いて、本インクジェット記録装置１０が有するインク貯蔵／装填部１４（インク供給系）の詳細について説明する。
【００７９】
図２は、インクジェット記録装置１０におけるインク供給系の構成を示した概要図である。
【００８０】
インク供給タンク６０はインクを供給するための基タンクであり、図１で説明したインク貯蔵／装填部１４に設置される。インク供給タンク６０の形態には、インク残量が少なくなった場合に、不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。なお、図２のインク供給タンク６０は、先に記載した図１のインク貯蔵／装填部１４と等価のものである。
【００８１】
図２に示したように、インク供給タンク６０と印字ヘッド１２Ｋ，１２Ｃ，１２Ｍ，１２Ｙの間には、異物や気泡を除去するためにフィルタ６１、インクの溶存気体を除去する脱気装置６２、インク内の溶存気体量のモニタとして機能する溶存酸素計６３が設けられている。また、脱気装置６２には、脱気装置６２内の脱気領域を減圧させるポンプ６４及び、大気開放弁６５が備えられている。
【００８２】
フィルタ６１のフィルタ・メッシュサイズはノズル径と同等若しくはノズル径以下（一般的には、２０μｍ程度）とすることが好ましい。
【００８３】
詳細は後述するが、脱気装置６２は脱気領域を可変させることによって必要に応じて脱気量を調整する脱気量調整機能を有している。
【００８４】
なお、図２には示さないが、印字ヘッド１２Ｋ，１２Ｃ，１２Ｍ，１２Ｙの近傍又は印字ヘッド１２Ｋ，１２Ｃ，１２Ｍ，１２Ｙと一体にサブタンクを設ける構成も好ましい。サブタンクは、ヘッドの内圧変動を防止するダンパ効果及びリフィルを改善する機能を有する。
【００８５】
サブタンクにより内圧を制御する態様には、大気開放されたサブタンクと印字ヘッド１２Ｋ，１２Ｃ，１２Ｍ，１２Ｙ内のインク室ユニットとのインク水位の差によりインク室ユニット内の内圧を制御する態様や、密閉されたサブタンクに接続されたポンプによりサブタンク及びインク室の内圧を制御する態様などがあり、何れの態様を適用してもよい。
【００８６】
また、インクジェット記録装置１０には、ノズルの乾燥防止又はノズル近傍のインク粘度上昇を防止するための手段としてのキャップ６６と、ノズル面の清掃手段としてのクリーニングブレード６７とが設けられている。
【００８７】
これらキャップ６６及びクリーニングブレード６７を含むメンテナンスユニットは、不図示の移動機構によって印字ヘッド１２Ｋ，１２Ｃ，１２Ｍ，１２Ｙに対して相対移動可能であり、必要に応じて所定の退避位置から印字ヘッド１２Ｋ，１２Ｃ，１２Ｍ，１２Ｙ下方のメンテナンス位置に移動される。
【００８８】
キャップ６６は、図示せぬ昇降機構によって印字ヘッド１２Ｋ，１２Ｃ，１２Ｍ，１２Ｙに対して相対的に昇降変位される。電源ＯＦＦ時や印刷待機時にキャップ６６を所定の上昇位置まで上昇させ、印字ヘッド１２Ｋ，１２Ｃ，１２Ｍ，１２Ｙに密着させることにより、ノズル面（インク吐出面）をキャップ６６で覆う。
【００８９】
印字中又は待機中において、特定のノズルの使用頻度が低くなり、ある時間以上インクが吐出されない状態が続くと、ノズル近傍のインク溶媒が蒸発してインク粘度が高くなってしまう。このような状態になると、アクチュエータが動作してもノズルからインクを吐出できなくなってしまう。
【００９０】
このような状態になる前に（アクチュエータの動作により吐出が可能な粘度の範囲内で）アクチュエータを動作させ、その劣化インク（粘度が上昇したノズル近傍のインク）を排出すべくキャップ６６（インク受け）に向かって予備吐出（パージ、空吐出、つば吐き）が行われる。
【００９１】
また、初期のインクのヘッドへの装填時、或いは長時間の停止後の使用開始時には粘度上昇（固化）した劣化インクの吸い出しが行われる。劣化インクの吸出しは印字ヘッド１２Ｋ，１２Ｃ，１２Ｍ，１２Ｙにキャップ６６を当て、吸引ポンプ６８で圧力室５２内のインク（気泡が混入したインク）を吸引により除去し、吸引除去したインクを回収タンク６９へ送液する。
【００９２】
上述した吸引動作は圧力室内のインク全体に対して行われるので、インク消費量が大きくなる。したがって、インクの粘度上昇が小さい場合には予備吐出を行う態様が好ましい。
【００９３】
クリーニングブレード６７は、ゴムなどの弾性部材で構成されており、図示せぬブレード移動機構（ワイパー）により印字ヘッド１２Ｋ，１２Ｃ，１２Ｍ，１２Ｙのインク吐出面（ノズル板表面）に摺動可能である。ノズル板にインク液滴又は異物が付着した場合、クリーニングブレード６７をノズル板に摺動させることでノズル板表面を拭き取り、ノズル板表面を清浄する。なお、該ブレード機構によりインク吐出面の汚れを清掃した際に、該ブレードによってノズル内に異物が混入することを防止するために予備吐出が行われる。
【００９４】
図３はインクジェット記録装置１０のシステム構成を示す要部ブロック図である。インクジェット記録装置１０は、通信インターフェース７０、システムコントローラ７２、画像メモリ７４、モータドライバ７６、ヒータドライバ７８、プリント制御部８０、画像バッファメモリ８２、ヘッドドライバ８４等を備えている。
【００９５】
通信インターフェース７０は、ホストコンピュータ８６から送られてくる画像データを受信するインターフェース部である。通信インターフェース７０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ７２を通じてデータの読み書きが行われる。画像メモリ７４は、半導体素子からなるメモリに限らず、ハードディスクなど磁気媒体を用いてもよい。
【００９６】
システムコントローラ７２は、通信インターフェース７０、画像メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、画像メモリ７４の読み書き制御等を行うとともに、搬送系のモータ８８やヒータ８９を制御する制御信号を生成する。
【００９７】
モータドライバ７６は、システムコントローラ７２からの指示にしたがってモータ８８を駆動するドライバ（駆動回路）である。なお、図３にはモータドライバ７６及びモータ８８のみ示したが、システムコントローラ７２は複数のモータドライバ及びモータを制御している。
【００９８】
また、ヒータドライバ７８は、システムコントローラ７２からの指示にしたがって後乾燥部４２等のヒータ８９を駆動するドライバである。
【００９９】
プリント制御部８０は、システムコントローラ７２の制御に従い、画像メモリ７４内の画像データから印字制御用の信号を生成するための各種加工、補正などの処理を行う信号処理機能を有し、生成した印字制御信号をヘッドドライバ８４に供給する制御部である。プリント制御部８０において所要の信号処理が施され、該画像データに基づいてヘッドドライバ８４を介して印字ヘッド１２Ｋ，１２Ｃ，１２Ｍ，１２Ｙのインク液滴の吐出量や吐出タイミングの制御が行われる。これにより、所望のドットサイズやドット配置が実現される。
【０１００】
プリント制御部８０には画像バッファメモリ８２が備えられており、プリント制御部８０における画像データ処理時に画像データやパラメータなどのデータが画像バッファメモリ８２に一時的に格納される。なお、図３において画像バッファメモリ８２はプリント制御部８０に付随する態様で示されているが、画像メモリ７４と兼用することも可能である。また、プリント制御部８０とシステムコントローラ７２とを統合して一つのプロセッサで構成する態様も可能である。
【０１０１】
ヘッドドライバ８４はプリント制御部８０から与えられる印字データに基づいて各色の印字ヘッド１２Ｋ，１２Ｃ，１２Ｍ，１２Ｙのアクチュエータを駆動する。ヘッドドライバ８４にはヘッドの駆動条件を一定に保つためのフィードバック制御系を含んでいてもよい。
【０１０２】
また、システムコントローラによって図２に示した脱気装置６２の制御が行われる。脱気装置６２から排出されるインクの溶存気体量が溶存酸素計６３を用いて計測され、その計測結果はシステムコントローラ７２へ送られる。システムコントローラ７２では溶存酸素計６３から送られてくるインクの溶存気体量を監視して、インク内の溶存気体量が常に所定量の範囲になるように脱気装置６２を制御する。なお、脱気装置６２の制御の詳細は後述する。
【０１０３】
一方、システムコントローラ７２ではホストコンピュータ８６から送られてくる印字データに基づいて所定の期間における印字ヘッド１２Ｋ，１２Ｃ，１２Ｍ，１２Ｙの駆動デューティ（駆動頻度）が算出される。算出された動作デューティに応じて、図２に示した脱気装置６２内の脱気領域を可変させるように可変機構ドライバ９０に指令を送り、可変機構ドライバ９０に応じて脱気領域可変機構９２が駆動される。
【０１０４】
〔脱気装置〕
図２に示した脱気装置６２について以下に詳説する。
【０１０５】
図４は、脱気装置６２の概略構成を示す構成図である。なお、図４中図２と同一又は類似する部分には同一の符号を付し、その説明は省略する。
【０１０６】
脱気装置６２は、図２等に示したポンプ６４の減圧手段（減圧脱気手段）を用いて脱気処理が施される脱気処理部が複数に区画分けされたチャンバ１００、１０２、１０４、１０６を備え、また、各チャンバを仕切る可動壁１１０、１１２、１１４を備えている。なお、符号１１６はチャンバの始端側（インクの入出力端）の壁である。各チャンバを仕切る可動壁及びチャンバの始端側の壁１１６は同一構造を有するので、以後、可動壁１１０、１１２、１１４及び壁１１６を代表して可動壁１１０で説明する。
【０１０７】
各チャンバにはインクタンク６０側からインクが流入する供給流路１２０及びインクが印字ヘッド１２Ｋ，１２Ｃ，１２Ｍ，１２Ｙへ流出する戻り流路１２２を備え、供給流路１２０と戻り流路１２２とは最終端のチャンバ１０６内で連通されるＵターン構造を有している。なお、図４中矢印で示した方向はインクの流れる方向である。
【０１０８】
詳細は後述するが、可動壁１１０は、隣り合うチャンバの供給流路どうしを連通させる貫通流路１４０、戻り流路どうしを連通させる貫通流路１４２及び、同一チャンバ内の供給流路１２０と戻り流路１２２とを連通させるＵ字状流路（図４には不図示、図５の符号１６０）を備え、供給流路１２０及び戻り流路１２２に貫通流路１４０及び１４２をつなげてインク流路を延長させるか、或いは供給流路１２０及び戻り流路１２２にＵ字状流路をつなげてインク流路を制限するかを切り換える流路切換手段を有している。但し、チャンバ始端側の壁１１６は貫通流路１４０、１４２のみを備えてもよい。
【０１０９】
また、可動壁１１０には各チャンバを連通させる連通穴（図４には不図示、図５の１６２）を備え、チャンバ１００につなげられたポンプ６４及び大気開放弁６５によって該連通口を介して連通されている複数のチャンバ内の圧力コントロール（減圧処理）を行うことができる。
【０１１０】
また、脱気装置６２はシステムに応じてチャンバユニット（例えば、図４の符号１５０）を追加して脱気処理部の有効領域を拡張させることができる。なお、チャンバ１５０に隣り合うチャンバとの仕切り壁になる壁には可動壁１１０と同一構造を有する可動壁１５２を備えている。
【０１１１】
即ち、図４に示した脱気装置６２は、チャンバ１００、１０２、１０４、１０６の供給流路１２０及び戻り流路１２２は可動壁１１０、１１２、１１４の貫通流路１４０，１４２を介して連通され、インクタンク６０からフィルタ６１を介して脱気装置６２へインクが送られると、チャンバ１００、１０２、１０４、１０６内の供給流路１２０、戻り流路１２２を経由し、排出口１２６から脱気されたインクが脱気装置６２の外部へ排出される。
【０１１２】
脱気装置６２におけるインク内の溶存気体を除去する方法は、従来技術に示した方法など公知の技術を適用可能である。例えば、脱気装置内のインク流路を気体透過性の中空糸束を含む構成とし、ポンプなどの減圧脱気手段を用いて該中空糸束から気体を導き出すようにすることができる。もちろん、これ以外の方法にも様々な方法を適用可能である。
【０１１３】
図５及び図６は可動壁１１０の詳細構造を示すチャンバ１００等の側面透視図である。図４にも説明したとおり、可動壁１１０には貫通流路１４０、１４２、Ｕ字状流路１６０、連通穴１６２を備え、更に、大気開放弁１６４を開放時には可動壁１１０を上下に稼動させる際の可動壁１１０の移動空間となる可動領域１６６内に溜まったインクを外部に排出させるドレイン１６８を備えている。なお、図５が平面（上面）透視図となる構造でもよい。この場合には可動壁１１０の移動方向は上面から見て左右方向になる。
【０１１４】
また、チャンバ内の流路において可動壁１１０との境界には、チャンバ内の流路と可動壁内の流路とを連通させた際に密閉性を保つために接続部１７０が設けられている。接続部１７０にはパッキンやシール部材などを含んでいてもよいし、弁（逆止弁）構造としてもよい。
【０１１５】
更に、可動壁１１０を上下方向に移動させる脱気処理部可変機構（図５には不図示、図３の符号９２）を備えている。該脱気処理部可変機構はボールねじやリニアガイドといったメカ系及びモータ（アクチュエータ）、可動壁１１０の位置を検出するセンサ等を含んでいる。
【０１１６】
図５は、隣り合うチャンバ（ここでは、チャンバ１００及びチャンバ１０２）の供給流路１２０どうし、戻り流路１２２どうしを連通させた態様を例示している。
【０１１７】
図６は、インク流路を可動壁１１０内でＵターンさせる態様を示している。図５に示した状態から可動壁１１０を下方に移動させると、チャンバ１００内の供給流路１２０及び戻り流路１２２がＵ字状流路１６０を介して連通され、チャンバ１００の供給流路１２０を流れるインクは可動壁１１０内のＵ字状流路を経由してチャンバ１００内の戻り流路に流れ込む。
【０１１８】
このようにして、各チャンバ間に備えられた可動壁を移動させることによって可動壁内のインク流路の切り換えを行い、インクが通過するチャンバ数を変更することで脱気処理部の大きさ（脱気処理部内のインク流路長）を可変させることができる。
【０１１９】
また、図５に示した、隣り合うチャンバが連結された態様では、連通口１６２を介して連結されたチャンバの減圧領域が連通されるので、連結されたチャンバの何れか一方に備えられたポンプ（図５の符号６４）によってポンプを備えていないチャンバの減圧領域も減圧処理をすることができる。
【０１２０】
なお、３つ以上のチャンバが接続される態様では、ポンプの能力に応じて１つのポンプによって全てのチャンバの減圧処理を行うことも可能である。
【０１２１】
一方、図６に示した、隣り合うチャンバを連結させない態様では、連通穴１６２を使用せず、隣り合うチャンバの減圧領域は連通されないので、ポンプを備えたチャンバだけに減圧処理が施される。
【０１２２】
〔脱気制御〕
次に、上述した脱気装置６２における脱気制御について説明する。
【０１２３】
インクジェット記録装置１０は、単位時間当たりに印字ヘッド１２Ｋ，１２Ｃ，１２Ｍ，１２Ｙから吐出されるインク量に合わせて脱気装置６２の脱気処理部を変更して、どのような吐出状況でも好ましい溶存気体量のインクを印字ヘッド１２Ｋ，１２Ｃ，１２Ｍ，１２Ｙへ供給できるように制御される。
【０１２４】
言い換えると、吐出デューティがハイデューティの時には長い脱気処理部を形成させ、ローデューティの時には可動壁内でＵターンさせて短い脱気処理部を形成させるように制御される。
【０１２５】
例えば、画像印字等（いわゆる、ハイデューティ時）のインクの吐出頻度が高い場合には、単位時間当たりに印字ヘッド１２Ｋ，１２Ｃ，１２Ｍ，１２Ｙへ供給されるインク量が多くなるので、これに合わせてチャンバを多数連結させることにより脱気処理部を拡張させ、単位時間当たりに脱気可能なインク量を増やすように制御される。
【０１２６】
一方、ドキュメント印字等（ローデューティ時）インクの吐出頻度が低い場合には、単位時間当たりのインク供給量が少なくて済むので、脱気処理部を縮小するためにチャンバを分離させるように制御が行われる。即ち、脱気装置６２は印字データを先読みして可動壁１１０を制御して脱気処理部を可変させる。
【０１２７】
更に、脱気装置６２から印字ヘッド１２Ｋ，１２Ｃ，１２Ｍ，１２Ｙのインク流路には、インクの溶存気体量を計測する溶存酸素計６３が備えられているので、溶存酸素計６３の計測値をモニタリングし、インクの溶存気体量が所定の範囲内になるように脱気処理部を可変させる制御が行われる。
【０１２８】
特に、電源オン時には溶存気体量がコントロールされていないインクが印字ヘッド１２Ｋ，１２Ｃ，１２Ｍ，１２Ｙ内及びインク流路内にある。そのため、一定時間、該インクを循環路（不図示）より循環させて、溶存気体量がコントロールされているインクを印字ヘッド１２Ｋ，１２Ｃ，１２Ｍ，１２Ｙ内及びインク流路内に供給する必要がある。好ましくは、流路上に設けられた溶存酸素計６３を見ながら溶存気体量が予め決められた範囲内になるまで循環させる。
【０１２９】
図７は、インクジェット記録装置１０における脱気制御の流れを示したフローチャートである。なお、本発明の理解を容易にするために、図７では、脱気装置６２にはチャンバ１００及びチャンバ１０２の２つのチャンバを有し、印字ヘッド１２Ｋ，１２Ｃ，１２Ｍ，１２Ｙの吐出デューティがハイデューティであるか或いはローデューティであるかを判定し、これに合わせてチャンバ１００のみで脱気処理を行うか、或いはチャンバ１００及びチャンバ１０２の２つのチャンバで脱気処理を行うかを制御することとする。
【０１３０】
印字制御が開始されると（ステップＳ１０）、印字データのチェックが行われ、該印字データから印字ヘッド１２Ｋ，１２Ｃ，１２Ｍ，１２Ｙのインク吐出デューティが求められる（ステップＳ１２）。
【０１３１】
このときに求められた吐出デューティとこれまでの吐出デューティとを比較して（ステップＳ１４）、吐出デューティが変更されない場合には（ＮＯ判定）、印字ヘッド１２Ｋ，１２Ｃ，１２Ｍ，１２Ｙからインクが吐出され（ステップＳ１６）、記録紙１６に画像が形成される。
【０１３２】
一方、ステップＳ１４において吐出デューティが変更される場合には（ＹＥＳ判定）、吸引ポンプ６４を停止させる（ステップＳ２０）と共に、大気開放弁６５を開放させ（ステップＳ２２）、ステップＳ２４に進む。
【０１３３】
ステップＳ２４では、吐出デューティの判定が行われ、ハイデューティである場合には（ＮＯ判定）、可動壁１１０は図５に示した状態にセットされる（ステップＳ２６）。また、大気開放弁６５が閉じられ（ステップＳ３２）、吸引ポンプ６４を動作させてチャンバ１００及びチャンバ１０２内のインクに対して脱気処理が行われる（ステップＳ３４）。
【０１３４】
脱気されたインクは印字ヘッド１２Ｋ，１２Ｃ，１２Ｍ，１２Ｙに供給され、印字ヘッド１２Ｋ，１２Ｃ，１２Ｍ，１２Ｙから脱気されたインクが吐出されると（ステップＳ３６）、該制御はステップＳ１２に戻る。
【０１３５】
一方、ステップＳ２４において、吐出デューティがローデューティと判定されると（ＹＥＳ判定）可動壁１１０は図６に示した状態にセットされ（ステップＳ３０）、ステップＳ３２に進む。
【０１３６】
ステップＳ１２における印字データチェックは、画像（プリント）ごとに行ってもよいし、印字ロットごとでもよい。また、一定の時間間隔で行ってもよい。
【０１３７】
例えば、連続画像印字はハイデューティと判定し、間欠画像印字はローデューティと判定する態様がある。
【０１３８】
本例では、脱気処理部を可変させるパラメータである印字ヘッド１２Ｋ，１２Ｃ，１２Ｍ，１２Ｙの吐出デューティを単位時間当たりのインクの吐出量とする態様を示したが、吐出デューティとして、単位時間当たりのノズル稼動数、単位時間当たりの吐出頻度、単位時間当たりのノズル稼動時間、インクの流速などを適用することができる。
【０１３９】
また、記録紙１６の幅やサイズ、印字される画像のサイズによって脱気装置６２の脱気処理部を可変させてもよい。
【０１４０】
図４に示すように、チャンバを３つ以上連結させる場合には、印字ヘッド１２Ｋ，１２Ｃ，１２Ｍ，１２Ｙの吐出デューティを多段階に設定し、これに応じて連結させるチャンバの数を可変させればよい。
【０１４１】
例えば、全ノズルを使用する場合（即ち、吐出デューティ100%）には全チャンバを連結させ、全領域を脱気処理部として使用する。また、50% のノズルを使用する場合（即ち、吐出デューティ50% ）では半数のチャンバを連結させ、全領域の50% の領域を脱気処理部として使用する。更に、20% のノズルを使用する場合には20% のチャンバを連結させ、全領域の20% の領域を脱気処理部とすることができる。
【０１４２】
言い換えると、略同一長さのインク流路有するチャンバを５つ備えると、20% ごとに脱気処理部を設定でき、略同一長さのインク流路有するチャンバを１０個備えると10% ごとに脱気処理部を設定することができる。なお、各チャンバが有するインク流路長は略同一でもよいし、異なる長さといてもよい。
【０１４３】
このようにして、印字ヘッド１２Ｋ，１２Ｃ，１２Ｍ，１２Ｙの動作デューティに応じて脱気装置６２内の脱気処理部が最適化される。
【０１４４】
次に、本実施形態に係る脱気装置６２の変形例を説明する。図８は、本変形例に係る脱気装置６２の概略構成図である。なお、図８中図４と同一又は類似する部分には同一の符号を付し、その説明は省略する。
【０１４５】
脱気装置６２には、供給流路１２０及び戻り流路１２２と略平行にチャンバ２０２の始端から終端の範囲内を移動可能な可動壁２００を有し、可動壁２００によって脱気処理部を可変させることができるチャンバ２０２が備えられている。
【０１４６】
また、脱気装置６２には、可動壁２００を図８の矢印方向に往復移動させる可動壁移動機構（不図示）を備えている。該可動壁移動機構はボールねじやリニアガイド等のメカ系、モータ、アクチュエータ等の電気系及び位置検出センサ等を有している。
【０１４７】
ハイデューティ時には可動壁２００をインクタンク６０からのインク供給側及び印字ヘッド１２Ｋ，１２Ｃ，１２Ｍ，１２Ｙへのインク排出側であるチャンバ２０２の始端側方向（例えば、破線で示した２００Ａの位置）へ移動させ、ローデューティ時には可動壁２００を該始端側と反対方向にある終端側方向（例えば、破線で示した２００Ｂの位置）へ移動させるように制御が行われる。
【０１４８】
即ち、可動壁２００をチャンバ２０２の始端側へ移動させると、脱気処理部を拡張させることができるので、単位時間当たりに脱気可能なインク量を増やすことができ、一方、可動壁２００をチャンバ２０２の終端側方向へ移動させると、脱気処理部を減縮させることができるので、単位時間当たりに脱気できるインク量を減らすことができる。
【０１４９】
可動壁２００はチャンバ２０２内を連続的に移動することができるので、脱気処理部の大きさを連続的に可変させることが可能である。
【０１５０】
上記の如く構成されたインクジェット記録装置１０は、単位時間当たりのインクの消費量に合わせて脱気装置内のインク流路長を可変させることにより脱気処理部の大きさを可変させるので、間欠印字時やローデューティ印字時でも最適な脱気処理部を提供することができる。したがって、間欠印字時やローデューティ印字時の省エネを実現できると共に、インクの脱気し過ぎを防止することができる。また、インクボトル（インクタンク６０）から印字ヘッド１２Ｋ，Ｃ，Ｍ，Ｙまでのインク供給路を最適化することができる。
【０１５１】
具体的には、脱気装置６２には、貫通流路１４０、１４２とＵ字状流路１６０とを有する可動壁１１０、１１２等で区画分けされた複数のチャンバ１００、１０２等を備え、該可動壁１１０を移動させて、連続印字時やハイデューティ時には貫通流路１４０、１４２を用いて隣り合うチャンバの供給流路及び戻り流路を連結させ、脱気処理部を拡張させることによって単位時間当たりに脱気可能なインク量を増やすことができる。一方、間欠印字やローデューティ印字時にはＵ字状流路１６０を用いて同一チャンバの供給流路と戻り流路とを連結させ、脱気装置６２内のインク流路長を縮小させることによって、必要以上の脱気を行わない。これにより脱気し過ぎを防止すると共に、装置の省エネに寄与する。
【０１５２】
本実施形態ではインクジェット記録装置１０に用いられる脱気装置６２を例示したが、本発明の適用範囲はこれに限定されず、クロマトグラフィーなどの周囲を真空状にして脱気する分析装置等に用いられる脱気装置にも適用可能である。
【０１５３】
また、本発明はインクジェット記録装置の他に水、処理液、薬液などの液体を吐出ヘッドに備えられたノズルから被吐出媒体上に吐出させる液滴吐出装置にも適用することができる。
【図面の簡単な説明】
【０１５４】
【図１】本発明の実施形態に係るインクジェット記録装置の基本構成図
【図２】本発明の実施形態に係るインクジェット記録装置のインク供給系の構成を示した概要図
【図３】本実施形態に係るインクジェット記録装置のシステム構成を示す要部ブロック図
【図４】本実施形態に係る脱気装置の基本構成図
【図５】図４に示した脱気装置が有するチャンバの可動壁の詳細を示す構造図
【図６】図５に可動壁の動作を説明する図
【図７】本実施形態に係る脱気装置の脱気制御の流れを示したフローチャート
【図８】本実施形態に係る脱気装置の変形例を示す図
【符号の説明】
【０１５５】
１０…インクジェット記録装置、１２Ｋ，１２Ｃ，１２Ｍ，１２Ｙ…印字ヘッド、６０…インクタンク、６２…脱気装置、６３…溶存酸素計、６４…ポンプ、６５…弁、７２…システムコントローラ、９０…可変機構ドライバ、９２…脱気処理部可変機構、１００，１０２，１０４，１０６，１５０…チャンバ、１１０，１１２，１１４，１１６，１５２…可動壁、１２０，１２２…流路、１４０，１４２…貫通流路、１６０…Ｕ字状流路、１６２…連通穴
【図１】
2005205850.tif 000003
【図２】
2005205850.tif 000004
【図３】
2005205850.tif 000005
【図４】
2005205850.tif 000006
【図５】
2005205850.tif 000007
【図６】
2005205850.tif 000008
【図７】
2005205850.tif 000009
【図８】
2005205850.tif 000010